(57)【要約】【課題】  経済的で且つ配管補修作業の容易な補修材およびその補修方法の提供。【解決手段】  インナーフィルム１とアウターフィルム２との間に未硬化の樹脂を配置したものにおいて、その樹脂は補修材の長手方向の中間部のみに樹脂部３として存在する。【選択図】        図１
2004332917.tif 000002
【特許請求の範囲】
【請求項１】
夫々長尺で筒状の軟質なインナーフィルム(1) とアウターフィルム(2) と、両フィルム(1) (2) 間に介装された未硬化の樹脂と、を具備し、内部に気体を供給して樹脂を硬化させる配管の補修材(19)において、
前記樹脂は、その補修材(19)の長手方向の中間部のみに樹脂部(3) として存在し、その先端部と後端部には、そのフィルムの直径以上に渡り樹脂が存在しない前部樹脂無し部(4) 、後部樹脂無し部(5) となるようにしたことを特徴とする配管の補修材。
【請求項２】
請求項１において、
前記後部樹脂無し部(5) の長さが、被補修用の取付配管(8) に連通する桝(7) の深さまたはそれ以上であり、樹脂部(3) の存在する長さが被補修用の取付配管(8) の補修長さに略一致する配管の補修材。
【請求項３】
請求項１又は請求項２において、
前記前部樹脂無し部(4) の長さよりも、後部樹脂無し部(5) の長さが長く形成された配管の補修材。
【請求項４】
請求項１〜請求項３のいずれかにおいて、
その前部樹脂無し部(4) の先端が、ボビン(10)により絞られた状態で閉塞され、その前部樹脂無し部(4) では、アウターフィルム(2) が存在しないか、その境でアウターフィルム(2) のみが切断された配管の補修材。
【請求項５】
請求項１〜請求項４のいずれかにおいて、
補修材はその使用前の状態で、インナーフィルム(1) が外面側に位置し、アウターフィルム(2) が内面側に位置し、両フィルム間に未硬化の樹脂が介装されて、使用の際に空気圧によりインナーフィルム(1) とアウターフィルム(2) とが反転される配管の補修材。
【請求項６】
請求項１〜請求項４のいずれかにおいて、
補修材はその使用前の状態で、インナーフィルム(1) が内面側に位置し、アウターフィルム(2) が外面側に位置し、両フィルム間に未硬化の樹脂が介装されている配管の補修材。
【請求項７】
請求項１〜請求項６のいずれかの補修材を用いて、先端が本管(6) に接続され、後端が桝(7) に接続される取付配管(8) の内部を補修する配管の補修方法において、
被補修用の取付配管(8) の補修長さを測長する工程と、
その長さに略一致する樹脂部(3) の長さを有する前記補修材(19)を用意する工程と、
前記桝(7) の側からその補修材(19)を前記取付配管(8) 内に挿入し、その前部樹脂無し部(4) を取付配管(8) の先端から突出させると共に、
その補修材(19)の後部樹脂無し部(5) を前記桝(7) 内に位置して、樹脂部(3) を硬化させたことを特徴とする配管補修方法。
【請求項８】
請求項７において、
前記樹脂部(3) が取付配管(8) の桝(7) 側の開口縁まで存在するようにし、その樹脂の硬化後に桝(7) 側の開口縁から突出した硬化樹脂を切断することとした配管補修方法。
【請求項９】
請求項７または請求項８において、
インナーフィルム(1) の先端部にワイヤまたは紐等の可撓性の条材(9) を取付た状態で、
前記補修材(19)の内部に気体を送り、インナーフィルム(1) とアウターフィルム(2) とを反転しつつそれを前記取付配管(8) 内に挿入し、
その樹脂の硬化後に前記条材(9) を引っ張ることによりインナーフィルム(1) を取り除くこととした配管補修方法。
【請求項１０】
請求項６に記載の補修材を用いた配管の補修方法において、
インナーフィルム(1) の先端の外面側に係止部材(24)を設け、
軸線方向の圧縮力に対しては剛性を有し、軸に交差する方向に対しては屈曲できる長尺な可撓性挿入体(25)の先端部に係合部材(26)を取付け、
その係合部材(26)を前記係止部材(24)に圧縮方向のみに係合すると共に、引張方向には離脱する係脱手段(27)をその係合部材(26)と係止部材(24)間に設け、
可撓性挿入体(25)の係合部材(26)をインナーフィルム(1) の係止部材(24)にその外面側から係合して、その可撓性挿入体(25)を被補修配管内に押し込むことにより補修材(19)をその配管内に導き、
次いで、可撓性挿入体(25)を引き戻すことにより、その係止部材(24)を係合部材(26)から離脱させつつ、その可撓性挿入体(25)を配管から引き抜き、
次いでインナーフィルム(1) 内に空気を供給して、それを膨張しつつ前記樹脂を硬化させることとした配管補修方法。
【発明の詳細な説明】
【技術分野】
【０００１】
本発明は、桝を介して本管に接続される取付配管等の各種配管の補修に関し、特にインナーフィルムとアウターフィルムとの間に樹脂を配置し、エアーによってインナーフィルムとアウターフィルムを反転させつつ取付配管内にそれらを配置し、あるいは反転させることなく取付配管内に可撓性挿入体により押し込み配置し、ついでＵＶランプ等の光（紫外線等）を照射させて樹脂を硬化させる配管の補修方法およびその方法に使用する補修材に関する。
【背景技術】
【０００２】
図１２は従来の取付配管の補修方法を示す説明図である。
この取付配管８は桝７と本管６との間に敷設されており、これらの内部に配置される補修材19は、夫々長尺で筒状の柔軟なインナーフィルム１とアウターフィルム２と、両フィルム間にその全長に渡って介装された未硬化の樹脂とを具備するものである。そして補修材19の先端を閉塞すると共に、後端部をライニング補修機13の機材エルボ12の開口に取付け、内部にエアーを供給しつつ反転させながら、それを取付配管８内に進入させ、その先端を本管６に突出させる。そしてこの補修材19内に紫外線ランプ等を挿入し、光硬化性の樹脂を硬化させる。次いで、本管６の先端から突出した部分と、桝７内に突出した部分と、を切断し、配管の補修を完成するものである。
【発明の開示】
【発明が解決しようとする課題】
【０００３】
このような従来の補修材19を用いた配管補修方法は、特に、本管６内に突出した硬化樹脂部分を切断するのが面倒である欠点があった。即ち、本管６内に作業者が入れない場合がしばしばあり、その本管６内に突出した部分を特別な機械により切断する必要が生じることがあった。さらには、インナーフィルム１とアウターフィルム２との間に介装される未硬化の樹脂の使用量が不必要に多くなり、補修材がその分だけ高価にならざるを得なかった。
そこで本発明は、係る課題を解決することを目的とする。
【課題を解決するための手段】
【０００４】
請求項１に記載の本発明は、夫々長尺で筒状の軟質なインナーフィルム(1) とアウターフィルム(2) と、両フィルム(1) (2) 間に介装された未硬化の樹脂と、を具備し、内部に気体を供給して樹脂を硬化させる配管の補修材(19)において、  前記樹脂はその補修材(19)の長手方向の中間部のみに樹脂部(3) として存在し、その先端部と後端部には、そのフィルムの直径以上に渡り樹脂が存在しない前部樹脂無し部(4) 、後部樹脂無し部(5) となるようにしたことを特徴とする配管の補修材である。
【０００５】
請求項２に記載の本発明は、請求項１において、
前記後部樹脂無し部(5) の長さが、被補修用の取付配管(8) に連通する桝(7) の深さまたはそれ以上であり、樹脂部(3) の存在する長さが被補修用の取付配管(8) の補修長さに略一致する配管の補修材である。
【０００６】
請求項３に記載の本発明は、請求項１又は請求項２において、
前記前部樹脂無し部(4) の長さよりも、後部樹脂無し部(5) の長さが長く形成された配管の補修材である。
【０００７】
請求項４に記載の本発明は、請求項１〜請求項３のいずれかにおいて、
その前部樹脂無し部(4) の先端が、ボビン(10)により絞られた状態で閉塞され、その前部樹脂無し部(4) では、アウターフィルム(2) が存在しないか、その境でアウターフィルム(2) のみが切断された配管の補修材である。
請求項５に記載の本発明は、請求項１〜請求項４のいずれかにおいて、
その補修材は、その使用前の状態で、インナーフィルム(1) が外面側に位置し、アウターフィルム(2) が内面側に位置し、両フィルム間に未硬化の樹脂が介装されて、使用の際に空気圧によりインナーフィルム(1) とアウターフィルム(2) とが反転される配管の補修材である。
【０００８】
請求項６に記載の本発明は、請求項１〜請求項４のいずれかにおいて、
その補修材は、その使用前の状態で、インナーフィルム(1) が内面側に位置し、アウターフィルム(2) が外面側に位置し、両フィルム間に未硬化の樹脂が介装されている配管の補修材である。
【０００９】
請求項７に記載の本発明は、請求項１〜請求項６のいずれかの補修材を用いて、先端が本管(6) に接続され、後端が桝(7) に接続される取付配管(8) の内部を補修する配管の補修方法において、
被補修用の取付配管(8) の補修長さを測長する工程と、
その長さに略一致する樹脂部(3) の長さを有する前記補修材(19)を用意する工程と、
前記桝(7) の側からその補修材(19)を前記取付配管(8) 内に挿入し、その前部樹脂無し部(4) を取付配管(8) の先端から突出させると共に、
その補修材(19)の後部樹脂無し部(5) を前記桝(7) 内に位置して、樹脂部(3) を硬化させたことを特徴とする配管補修方法である。
【００１０】
請求項８に記載の本発明は、請求項７において、
前記樹脂部(3) が取付配管(8) の桝(7) 側の開口縁まで存在するようにし、その樹脂の硬化後に桝(7) 側の開口縁から突出した硬化樹脂を切断することとした配管補修方法である。
【００１１】
請求項９に記載の本発明は、請求項７または請求項８において、
インナーフィルム(1) の先端部にワイヤまたは紐等の可撓性の条材(9) を取付た状態で、
前記補修材(19)の内部に気体を送り、インナーフィルム(1) とアウターフィルム(2) とを反転しつつそれを前記取付配管(8) 内に挿入し、
その樹脂の硬化後に前記条材(9) を引っ張ることによりインナーフィルム(1) を取り除くこととした配管補修方法である。
【００１２】
請求項１０に記載の本発明は、請求項６に記載の補修材を用いた配管の補修方法において、
インナーフィルム(1) の先端の外面側に係止部材(24)を設け、
軸線方向の圧縮力に対しては剛性を有し、軸に交差する方向に対しては屈曲できる長尺な可撓性挿入体(25)の先端部に係合部材(26)を取付け、
その係合部材(26)を前記係止部材(24)に圧縮方向のみに係合すると共に、引張方向には離脱する係脱手段(27)をその係合部材(26)と係止部材(24)間に設け、
可撓性挿入体(25)の係合部材(26)をインナーフィルム(1) の係止部材(24)にその外面側から係合して、その可撓性挿入体(25)を被補修配管内に押し込むことにより補修材(19)をその配管内に導き、
次いで、可撓性挿入体(25)を引き戻すことにより、その係止部材(24)を係合部材(26)から離脱させつつ、その可撓性挿入体(25)を配管から引き抜き、
次いでインナーフィルム(1) 内に空気を供給して、それを膨張しつつ前記樹脂を硬化させることとした配管補修方法である。
【発明の効果】
【００１３】
本発明の補修材は、その長手方向の中間部のみ樹脂部３が存在し、その両側は前部樹脂無し部４，後部樹脂無し部５となるようにしたから、樹脂部３を配管の被補修位置に配置して配管外部から後部樹脂無し部５を介して内部に気体を供給し、樹脂部３を硬化させることができる。そして必要以上の樹脂を使用することなく、経済的な補修材を提供できる。
【００１４】
請求項２に記載の発明は、後部樹脂無し部５の長さが被補修用の取付配管８に連通する桝７の深さまたはそれ以上であり、樹脂部３の存在する長さが被補修用の取付配管８の補修長さに一致するから、桝７の入り口から補修材を挿入し、その補修材に必要最小限の樹脂部３を用いて被補修用の取付配管８を効率良く、経済的に補修することができる。
【００１５】
上記構成において、前部樹脂無し部４の長さを後部樹脂無し部５のそれより短くすることができる。この場合、取付配管８から本管６への突出量を小とし、必要最小限の長さの補修材とし得る。
【００１６】
また、前部樹脂無し部４の先端がボビン10によって絞られた状態で閉塞され、その前部樹脂無し部４ではアウターフィルム２が存在しないか、その境でアウターフィルム２のみが切断されたものにおいては、樹脂部３の硬化後、不必要なインナーフィルム１を容易にかつ完全に取り去り、その先端部においてアウターフィルム２が不必要に突出しないようにすることができる。それにより、配管先端部の後処理が不要となる取扱い易い配管の補修材を提供できる。
【００１７】
上記補修材は、その使用前の状態で、インナーフィルム１が外面側に位置し、アウターフィルム２が内面側に位置し、両フィルム間に未硬化の樹脂が介装されて、使用の際に空気圧によりインナーフィルム(1) とアウターフィルム(2) とが反転されるものとすることができる。この補修材によれば、それをコンプレッサ等を利用して、配管内に容易に挿入できる。
【００１８】
また、上記補修材は、その使用前の状態で、インナーフィルム１が内面側に位置し、アウターフィルム２が外面側に位置し、両フィルム間に未硬化の樹脂が介装されたものとすることができる。この補修材によれば、ある程度の剛性および可撓性のある棒材等で、それを配管内に押し込み、迅速に補修材を適宜位置に配置できる。
【００１９】
本発明の補修方法は、被補修用の取付配管８の補修長さを側長し、その長さに一致する樹脂部３を用意し、桝７側からその補修材19を取付配管８内に挿入し、その前部樹脂無し部４を取付配管８の先端から突出させると共に、後部樹脂無し部５を桝７内に位置して樹脂部３を硬化させるものであるから、必要最小限の樹脂部３で取付配管８の補修部分を確実に且つ効率良く補修することができる。
【００２０】
上記補修方法において、取付配管８の桝７側の開口縁まで樹脂部３が存在するようにしてその樹脂の硬化後に、桝７の開口縁から突出した硬化樹脂を切断することができる。このようにすることにより、取付配管８の入口まで樹脂で補修することができる。それと共に、その切断作業は容易に行い得る。
【００２１】
上記補修方法において、インナーフィルム１の先端にワイヤまたは紐等の条材９を取付け、樹脂の硬化後に条材９を引っ張ることによりインナーフィルム１を取り除くことができる。それによって不要なインナーフィルム１を容易に取り除き、取付配管８内に完全な補修面を形成させることができる。
【００２２】
請求項６の補修材を用いた配管の補修方法において、可撓性挿入体25の係合部材26をインナーフィルム１の係止部材24にその外面側から係合して、その可撓性挿入体25を被補修配管内に押し込むことにより補修材19をその配管内に導き、
次いで、可撓性挿入体25を引き戻すことにより、その係止部材24を係合部材26から離脱させつつ、その可撓性挿入体25を配管から引き抜き、
次いでインナーフィルム１内に空気を供給して、それを膨張しつつ前記樹脂を硬化させることができる。
この方法によれば、補修材を迅速に配管に挿入することができる。
【発明を実施するための最良の形態】
【００２３】
次に、図面に基づいて本発明の実施の形態につき説明する。
図１は本発明の第１の補修材19であって、取付配管内に敷設前の非反転状態を示すものである。即ち、この状態では長尺で筒状の柔軟なインナーフィルム１が外側に配置され、同様のアウターフィルム２が内側に同軸に配置されている。そしてインナーフィルム１の長手方向中間部のみに、この例では光硬化性の未硬化の樹脂部３がアウターフィルム２とインナーフィルム１との間に配置されている。この樹脂部３が配置される位置には円筒状のガラス繊維よりなるガラスパイル11またはポリエステル繊維の円筒状織布が介装され、このガラスパイル11等に樹脂材が塗布される。
【００２４】
また、この例ではアウターフィルム２の先端は樹脂部３の先端までであり、そこから先には存在しない。これに対してインナーフィルム１は樹脂部３よりも先端に延長されている。
なお、インナーフィルム１とアウターフィルム２との長さを同一とし且つ、樹脂部３の先端の境においてアウターフィルム２を切断しておいてもよい。
樹脂部３の長さＬは、被補修用の取付配管８の補修長さに略一致するように配置される。また、樹脂部３より後部に存在する後部樹脂無し部５の長さは、桝７の深さより少し長めのものとされる。さらに前部樹脂無し部４の長さは、インナーフィルム１の直径以上で且つ、その部分が本管６内に突出したことをカメラ等で十分確認できる長さとする。
【００２５】
（配管補修方法）
このような補修材19を用いて配管を補修する方法につき述べる。
先ず、被補修用の取付配管８の長さを図３の如く測長する。この例では、取付管延長測定器22を用いそのメジャー測長パイプ15を桝７から取付配管８内に挿入し、メジャー測長パイプ15の先端を本管６に突出させるまで延長する。このメジャー測長パイプ15は、柔軟な袋状に形成され、その外周に目盛り寸法が記入されている。そして、内部にエアーを供給して、補修材と同様に内外面を反転させつつ取付配管８に挿入される。そこで本管６内に配置したカメラ16により、メジャー測長パイプ15の先端が本管６に達したことを確認する。そしてメジャー測長パイプ15の外周に設けた目盛りから、取付配管８内の長さおよび桝７内の長さを側長する。
【００２６】
このような、メジャー測長パイプ15を用いるのは、次の理由による。即ち、取付配管８は通常、それ特有の曲がり部（３０度、６０度、９０度）が数カ所存在する。そのため、通常のメジャーで測長すると、曲がり部分で大きな誤差が生じる。ところが、メジャー測長パイプ15は袋状に形成されているため、取付配管８に馴染んで延長され、測長誤差を極めて少なくできる。また、取付配管８に曲がり部が多いと、後に補修材19を取付配管内に挿入する際、その反転ができない場合が生じる。メジャー測長パイプ15はその予備確認ができる。
次に、アウターフィルム２の長さを取付配管８内の長さと桝７の長さより少し長めにし、アウターフィルム２の外周にガラスパイル11を配置する。
【００２７】
ガラスパイル11の長さは取付配管８の長さと同一とし、ガラスパイル11には耐蝕性に優れているエポキシアクリレート樹脂（ビニールエステル樹脂）に光硬化開始材を配合したものを配置する。一例として、光硬化開始材は波長３００〜４００mmの紫外線（ＵＶ）領域で強い吸光度をもつものである。
そして、このような光硬化性樹脂を含むガラスパイル11によって、補修材19の中間部に樹脂部３を形成する。そして樹脂部３の後部の後部樹脂無し部５の長さは、桝７の深さよりも少し深くしておく。また、樹脂部３の前方にはインナーフィルム１のみからなる前部樹脂無し部４を形成し、その先端を絞り、そこをボビン10によって閉塞する。そしてそのボビン10には、ワイヤや紐等の条材９の端部を締結固定しておく。
【００２８】
次いで、図４に示す如く補修材19をライニング補修機13の機材エルボ12の開口からライニング補修機13内部に挿入し、エアータンク14内のドラム14ｂに補修材19の先端に接続された条材９を取り付けて、ハンドル14ａを回転することにより、その条材９および補修材19をドラム14ｂに巻き付ける。そして、補修材19の後端を機材エルボ12から僅か突出させ、その部分を折り返して締結バンド20により機材エルボ12に補修材19の後端部を締結固定する。
【００２９】
次いで、分岐部18の開口を閉塞すると共に、コンプレッサ17からのエアーをエアータンク14を介して供給し、補修材19を伸張させると共にインナーフィルム１とアウターフィルム２とを反転させつつ、桝７から取付配管８内に進入させる。このとき、ドラム14ｂに巻かれた補修材19が巻き戻される。そして、その補修材19の先端のインナーフィルム１のみが本管６内に突出したことを確認する。このとき、樹脂部３の先端は本管６の開口と同一または僅かに取付配管８側に位置される。そして内部には条材９が挿通され、その端部がエアータンク14のドラム14ｂに係止されている。
【００３０】
次いで、分岐部18の開口を開放し、そこから先端にＴＶカメラを有する光硬化装置23（ＵＶランプを有する）をその分岐部18および機材エルボ12を介して、取付配管８の補修材19内に挿入し、樹脂部３を光により硬化させる。そしてその光硬化装置23を引き抜いた後に、ハンドル14ａを回転して条材９をドラム14ｂに巻き取ると共に、補修材19のインナーフィルム１を巻き取る。次いで、桝７内に突出した樹脂部３の後端部をカッターで切断し、取付配管８の補修を完了する。
【００３１】
図６はその取付配管８の断面図であり、取付配管８の内面に樹脂部３が一例として厚さ３mm程被覆されている。なお、樹脂部３と取付配管８との間に存在するアウターフィルム２は防水性のフィルムであり、そのアウターフィルム２は樹脂部３と取付配管８との間に密着されている。
【００３２】
次に、図７は本発明の補修材19の他の例であって、この例が図１と異なる点は、内面側にインナーフィルム１が配置され、外面側にアウターフィルム２が配置され、両者間に樹脂部３が設けられたことである。また、インナーフィルム１の先端のボビン10の外面には、係止部材24が設けられている。そして、インナーフィルム１の内面側に条材９が設けられている。さらにこの例では、アウターフィルム２の長さが樹脂部３の長さに略整合する。
【００３３】
図８はこれらの配置状態を示す説明図である。
この例の補修材19は、図１の例と異なり、被補修配管内に反転されることなくそのまま挿入されるものである。そのために一例として、環状の係止部材24がボビン10の外面に設けられ、それに可撓性挿入体25の先端の係合部材26が係止されて、被補修配管内に押し込まれるものである。このとき図９の如く、補修材19は幅方向に２つ折りにされ、それらの間に可撓性挿入体25が挟持されるように位置する。この可撓性挿入体25は圧縮方向には剛性を有し、補修材19を配管内に押し込めることができる。
【００３４】
また、配管が曲折する場合にはそれに伴って可撓性挿入体25が曲折するように、半径方向にはある程度可撓性を有するものである。一例として、ある程度の可撓性を有する直径６〜８mm程度のガラスファイバーやプラスチック製丸棒材や金属製線材、針金、或いは線材を螺旋状に密巻したもの等が適当である。
可撓性挿入体25の先端には、二股状の係合部材26が設けられている。そして、この二股状の係合部材26と係止部材24とにより係脱手段27を形成する。この係脱手段27は、可撓性挿入体25を前進するときには係合部材26と係止部材24が係合し、可撓性挿入体25を後退させるときには係合部材26が係止部材24から分離する構造のものである。
【００３５】
次に、図９に示すように２つ折りされた補修材19は、図１０の如く一例として取付配管８に挿入される。このとき、可撓性挿入体25によって補修材19は取付配管８内に押し込まれる。そしてインナーフィルム１の先端が本管６に達したとき、可撓性挿入体25を引き抜く。次いで、インナーフィルム１を図５と同様にして図１１の如く取付用ライニング機材28の先端に接続し、次いで、コンプレッサ17によってインナーフィルム１内に圧縮空気を供給し、補修材19全体を膨張させる。次いで、コントローラ29を介し、紫外線ランプを有する光硬化装置23を補修材19内に挿入し、補修材19の樹脂部３を硬化させる。次いで、インナーフィルム１の中心に位置する条材９を引っ張ることにより、インナーフィルム１を補修材19から引抜き、補修作業を完了するものである。
なお、図７に示す樹脂部３の位置および長さは図１の場合同様に、図３の方法により決定する。
【図面の簡単な説明】
【００３６】
【図１】本発明の補修材19の説明図であって、反転前の状態を示す。
【図２】図１の樹脂部３における説明図。
【図３】本発明の補修方法の第１工程を示す説明図。
【図４】同補修方法の第２工程を示す説明図。
【図５】同補修方法の第３工程を示す説明図。
【図６】本補修方法によって補修された取付配管８の断面説明図。
【００３７】
【図７】本発明の補修材19の他の例の説明図であって、配管に挿入前の状態を示す。
【図８】図７の樹脂部３における説明図。
【図９】同補修材19を配管に挿通するための説明図。
【図１０】同補修材19の挿通説明図。
【図１１】補修材19の樹脂部３を硬化させる方法の他の説明図。
【図１２】従来型補修方法の説明図。
【符号の説明】
【００３８】
１  インナーフィルム
２  アウターフィルム
３  樹脂部
４  前部樹脂無し部
５  後部樹脂無し部
６  本管
７  桝
８  取付配管
９  条材
【００３９】
10  ボビン
11  ガラスパイル
12  機材エルボ
13  ライニング補修機
14  エアータンク
14ａ  ハンドル
14ｂ  ドラム
15  メジャー測長パイプ
16  カメラ
17  コンプレッサ
18  分岐部
19  補修材
【００４０】
20  締結バンド
21  エアーホース
22  取付管延長測定器
23  光硬化装置
24  係止部材
25  可撓性挿入体
26  係合部材
27  係脱手段
28  取付用ライニング機材
29  コントローラ
【図１】
2004332917.tif 000003
【図２】
2004332917.tif 000004
【図３】
2004332917.tif 000005
【図４】
2004332917.tif 000006
【図５】
2004332917.tif 000007
【図６】
2004332917.tif 000008
【図７】
2004332917.tif 000009
【図８】
2004332917.tif 000010
【図９】
2004332917.tif 000011
【図１０】
2004332917.tif 000012
【図１１】
2004332917.tif 000013
【図１２】
2004332917.tif 000014